(57)【要約】【課題】  篩網の取り付け、取り外しの際のクランピングバーの着脱作業を容易にし、作業の安全性を向上させる。【解決手段】  振動篩のクランピングバー５は、バー本体１０に固定された回動用アーム１１と、振動篩の側板２に固定され回動用アーム１１を上下回動自在に枢支する支持アーム１２と、回動用アーム１１を上方へ回動した位置で下方へ回動しないよう係止する係止手段とを備える。係止手段は、支持アーム１２に設けられた支軸１３と、支軸１３に枢着される回動用アーム１１の長孔１６と、回動用アーム１１を上方へ回動した位置で回動アーム１１と当接し回動アーム１１の下方への回動を阻止するロックピン１７とで構成する。【選択図】  図２
2005305248.tif 000002
【特許請求の範囲】
【請求項１】
バー本体に固定された回動用アームと、振動篩の側板に固定され回動用アームを上下回動自在に枢支する支持アームと、回動用アームを上方へ回動した位置で下方へ回動しないよう係止する係止手段とを備えた振動篩のクランピングバー。
【請求項２】
係止手段が、支持アームに設けられた支軸と、支軸に枢着される回動用アームの長孔と、回動用アームを上方へ回動した位置で回動アームと当接し回動アームの下方への回動を阻止するロックピンとからなる請求項１記載の振動篩のクランピングバー。
【発明の詳細な説明】
【技術分野】
【０００１】
本発明は、振動篩に篩網を取り付けるためのクランピングバーに関するものである。
【背景技術】
【０００２】
従来、振動篩には、篩網を取り付けるためクランピングバーが用いられている。
振動篩に篩網を取り付けるときは、図５に示すように、篩網４を床枠３上に載置し、篩網４の側縁の屈曲部４Ｃにクランピングバー５０の下端縁を係合させ、クランピングボルト６とクランピングナット７でクランピングバー５０を側板２に固定し、篩網４に張力を与える。
【０００３】
篩網４を取り外すときには、クランピングナット７を外してクランピングボルト６を抜き、クランピングバー５０を取り外して外部へ取り出した後、篩網４を床枠３から取り外す。
ところが、クランピングバー５０は鋼製で重量が大であるので、篩網４の取り付け、取り外しを行うとき、クランピングバー５０の出し入れ、着脱作業には大きな労力を要する。特に、複床式の振動篩の下床の篩網４の取り付け、取り外しは、狭い空間で行わねばならないので、クランピングバー５０の出し入れ、着脱作業は極めて困難である。
【０００４】
また、１台の振動篩に長さとボルト孔の位置が異なる複数種のクランピングバー５０が使用されていることが多く、一旦取り外したクランピングバー５０を再度取り付けるとき、混同を生じて、取り付け作業に手間取ることもある。
そこで、篩網の側縁の直下方に側板に固定された支持部材を設け、篩網の取り外しを行うとき、クランピングボルトを緩めて篩網の側縁の屈曲部とクランピングバーの係合を解除し、振動篩の上流端又は下流端の端板を取り外して、この端板を取り外した個所から篩網を引き出すようにした振動篩が提案されている（特許文献１参照）。
【０００５】
この振動篩では、篩網の取り付け、取り外しを行うとき、クランピングバー、クランピングボルト、クランピングナットをばらばらに分解して取り外すことなく、側板に取り付けたままの状態で行うことができると特許文献１には記載されている。
しかし、この振動篩では篩網の取り付け、取り外しを行う度に、端板の取り付け、取り外しが必要である上、実際には、篩網には歪みがあるため、支持部材とクランピングバーとの間に形成される篩網を引き出すための空間の高さが不足し、篩網がつかえて円滑に引き出すことができない場合がある。しかも、ナットを緩めてクランピングボルトを篩網側へ引き出し、篩網の側縁の屈曲部とクランピングバーの係合を解除した状態では、クランピングバーの重量によってクランピングボルトの頭側が下がりクランピングバーが篩網の上に垂れ下がるので、篩網を引き出すことができず、結局はクランピングバーを取り外さなければならなくなる。
【０００６】
篩網は、消耗したときだけでなく、製品サイズの変更のために交換する場合も多いので、篩網の取り付け、取り外しの際のクランピングバーの着脱作業を容易にし、作業の安全性を向上させることが求められている。
【特許文献１】特開平７−８８４３２号公報
【発明の開示】
【発明が解決しようとする課題】
【０００７】
本発明は、振動篩のクランピングバーにおける上記問題を解決するものであって、篩網の取り付け、取り外しの際のクランピングバーの着脱作業を容易にし、作業の安全性を向上させることのできる振動篩のクランピングバーを提供することを目的とする。
【課題を解決するための手段】
【０００８】
本発明の振動篩のクランピングバーは、バー本体に固定された回動用アームと、振動篩の側板に固定され回動用アームを上下回動自在に枢支する支持アームと、回動用アームを上方へ回動した位置で下方へ回動しないよう係止する係止手段とを備えることにより上記課題を解決している。
この振動篩のクランピングバーは、篩網の取り付けを行うとき、バー本体を回動用アームと共に上方へ回動させ、回動用アームを上方へ回動した位置で下方へ回動しないよう係止手段によって係止する。篩網を床枠上に載置したら、回動用アームの係止を解除してバー本体を回動用アームと共に下方へ回動させ、篩網の側縁の屈曲部にクランピングバーの一端を係合させ、クランピングボルトとクランピングナットでクランピングバーを側板に固定し、篩網に張力を与える。
【０００９】
篩網を取り外すときには、クランピングナットを外してクランピングボルトを抜き、バー本体を回動用アームと共に上方へ回動させ、回動用アームを上方へ回動した位置で下方へ回動しないよう係止手段によって係止した後、篩網を床枠から取り外す。
この振動篩のクランピングバーは、篩網の取り付け、取り外しの際に上方へ回動した位置で係止しておくことができるので、クランピングバーを外部から持ち込んだり、外部へへ持ち出したりする必要がなく、着脱作業が容易にであり、作業の安全性が向上する。
【００１０】
また、複数種のクランピングバーが使用されている場合でも、再度取り付けるときに混同を生じて、取り付け作業に手間取ることもない。
係止手段を、支持アームに設けられた支軸と、支軸に枢着される回動用アームの長孔と、回動用アームを上方へ回動した位置で回動アームと当接し回動アームの下方への回動を阻止するロックピンとで構成すると、簡単な操作で回動アームを確実に係止することができる。
【発明の効果】
【００１１】
本発明の振動篩のクランピングバーは、篩網の取り付け、取り外しの際のクランピングバーの着脱作業を容易にし、作業の安全性を向上させることができる。
【発明を実施するための最良の形態】
【００１２】
図１は本発明の実施の一形態であるクランピングバーを備えた振動篩の斜視図、図２はクランピングバーの正面図、図３はクランピングバーの回動の状態を示す説明図、図４はクランピングバーの上方で係止された状態を示す説明図である。
振動篩１は、二床式の振動篩であって、左右の側板２の内側に上下に所定間隔で固設された床枠３上にそれぞれ篩網４が載置され、篩網４の側縁の屈曲部４Ｃにクランピングバー５のバー本体１０の下端縁を係合させ、クランピングボルト６とナット７でクランピングバー５を側板２に固定することにより、篩網４に張力が与えられている。
【００１３】
振動篩１は、側板２の外側に設けられた支持脚８によって支持されており、左右の側板２上には、加振機構９が跨設されている。
クランピングバー５のバー本体１０の上部には、回動用アーム１１が固設され、この回動用アーム１１には長孔１６が形成されている。そして、回動用アーム１１は、この長孔１６で支持アーム１２に設けられた支軸１３に枢着され、支持アーム１２に上下回動自在に支持されている。支持アーム１２は、取付ボルト１４と取付ナット１５で側板２に固定されている。また、支持アーム１２には、回動用アーム１１が上方へ回動された位置で回動用アーム１１を下方へ回動しないよう係止するロックピン１７が設けられている。
【００１４】
この振動篩１の篩網４を取り外すときには、クランピングナット７を外してクランピングボルト６を抜き、バー本体１０を回動用アーム１１と共に上方へ回動させて、クランピングバー５のバー本体１０の下端縁を篩網４の側縁の屈曲部４Ｃから離脱させる。
このとき、図３に示すように、回動用アーム１１は長孔１６の先端側が支軸１３に当接する状態で回動させ、ロックピン１７との衝突を回避する。
【００１５】
回動用アーム１１を上方まで回動させたら、図４に示すように、回動用アーム１１を長孔１６の基端側が支軸１３と当接するように押し下げる。すると、回動アーム１１とロックピン１７が当接し回動アーム１１の下方への回動が阻止される。
このように、回動アーム１１が下方へ回動しないよう係止した後、篩網４を床枠３から取り外す。
【００１６】
続いて篩網４の取り付けを行うときは、新たに取り付ける篩網４を床枠３上に載置し、回動用アーム１１を長孔１６の先端側が支軸１３に当接するまで引上げて、ロックピン１７による係止を解除し、バー本体１０を回動用アーム１１と共に下方へ回動させて、篩網４の側縁の屈曲部４Ｃにクランピングバー５のバー本体１０の下端縁を係合させる。
それから、クランピングボルト６とクランピングナット７でクランピングバー５を側板２に固定し、篩網４に張力を与える。
【００１７】
この振動篩のクランピングバー５は、篩網４の取り付け、取り外しの際に上方へ回動した位置で係止しておくことができるので、クランピングバー５を外部から持ち込んだり、外部へへ持ち出したりする必要がなく、着脱作業が容易にであり、作業の安全性が向上する。
また、複数種のクランピングバー５が使用されている場合でも、再度取り付けるときに混同を生じて、取り付け作業に手間取ることもない。
【００１８】
このクランピングバー５では、支持アーム１２に設けられた支軸１３と、支軸１３に枢着される回動用アーム１１の長孔１６と、回動用アーム１１を上方へ回動した位置で回動アーム１１に当接し回動用アーム１１の下方への回動を阻止するロックピン１７とで係止手段を構成しているので、簡単な操作で回動アーム１１を確実に係止することが可能である。
なお、クランピングバー５には、これと異なる構成の係止手段を設けることができるのは勿論である。
【図面の簡単な説明】
【００１９】
【図１】本発明の実施の一形態であるクランピングバーを備えた振動篩の斜視図である。
【図２】クランピングバーの正面図である。
【図３】クランピングバーの回動の状態を示す説明図である。
【図４】クランピングバーの上方で係止された状態を示す説明図である。
【図５】従来のクランピングバーの正面図である。
【符号の説明】
【００２０】
１      振動篩
２      側板
３      床枠
４      篩網
５      クランピングバー
６      クランピングボルト
７      クランピングナット
８      支持脚
９      加振機構
１０    バー本体
１１    回動アーム
１２    支持アーム
１３    支軸
１４    取付ボルト
１５    取付ナット
１６    長孔
１７    ロックピン
【図１】
2005305248.tif 000003
【図２】
2005305248.tif 000004
【図３】
2005305248.tif 000005
【図４】
2005305248.tif 000006
【図５】
2005305248.tif 000007